(57)【特許請求の範囲】
【請求項１】
バッテリ端子に締結する端子を内蔵した雌コネクタに、電源線の端末に接続した雄コネクタを嵌合して前記バッテリ端子と電源線を接続しており、
前記雌コネクタの前後外壁に左右一方側の下部から他方側の上部へ傾斜する第１スライド溝を設け、該第１スライド溝にスライド自在に挿通するピンを突設したスライドレバーを前記雌コネクタの外壁内面に沿って移動自在に取り付ける一方、前記雄コネクタの前後外壁の上部に左右水平方向に延在する第２スライド溝を設け、該第２スライド溝に前記ピンの他端突出部をスライド自在に挿入し、
前記スライドレバーの前記ピンは、前記第１スライド溝の下端且つ前記第２スライド溝の左右方向の一端に挿入される仮嵌合位置で、該スライドレバーは前記雌コネクタから外方へ突出し、該仮嵌合位置で前記雌コネクタの端子をバッテリ端子に上方から下向きに取り付けて締結し、該締結後に前記スライドレバーを押し込んで前記ピンを前記第１、第２スライド溝内を左右他端側の本嵌合位置へ移動させて、前記電源線と接続した前記雄コネクタを上昇させ、該雄コネクタに接続した電源線を余長無しの状態に引き上げる構成としているバッテリへの電源線の接続構造。
【請求項２】
前記雌コネクタに内蔵する前記端子はヒュージブルリンクからなり、該ヒュージブルリンクは上部横向き部の一端側に設けたボルト穴を前記雌コネクタから外部に突出させ、該ボルト穴を前記バッテリ端子に立設したボルトに上方から下降して通してナットで締結するものとし、かつ、該上部横向き部の前記雌コネクタ内部に溶断部を設け、該溶断部の先端を下向きに屈折して縦向き部を設け、該縦向きの部の下端に電気接触部を下向きに配置し、該電気接触部に前記雄コネクタ内に収容する前記電源線の端末に接続した端子の電気接触部を嵌合する構成としている請求項１に記載のバッテリへの電源線の接続構造。
【請求項３】
前記雌コネクタと雄コネクタとの仮嵌合位置および本嵌合位置で夫々係止する係止手段を、前記雌コネクタと雄コネクタに設けている請求項１または請求項２に記載のバッテリへの電源線の接続構造。
【発明の詳細な説明】
【技術分野】
【０００１】
本発明はバッテリと電源線の接続構造に関し、詳しくは、車両に搭載するバッテリのバッテリポストに外嵌するバッテリ端子に接続する電源線に作業余長を発生させないようにするものである。
【背景技術】
【０００２】
この種のバッテリへの電源線の接続構造として、本出願人は特開２０１０−９２６９７号公報（特許文献１）において、図７に示すように、バッテリポスト１００に外嵌するバッテリ端子１０１に立設したスタッドボルト１０２に、電源線１１０の端末に接続した電源端子１２０（ボルト締め端子）を上方より下降させて、該電源端子１２０に設けたボルト穴１２０ｈをスタッドボルト１０２に通して、上方からナット１３０を締結している。
【先行技術文献】
【特許文献】
【０００３】
【特許文献１】特開２０１０−９２６９７号公報
【発明の概要】
【発明が解決しようとする課題】
【０００４】
前記特許文献１を含めて従来のバッテリ端子１０１への電源端子１２０の接続は、電源端子１２０を上方から下方させてバッテリ端子に締結する方式であるため、図８に示すように、締結前から締結後に高さ寸法Ｌ１だけ低くなり、この寸法Ｌ１が作業余長となる。この作業余長のある電源線１１０が下向きに押し下げられるため、だぶついた状態となる。電源線１１０は太線で剛性があるため、真っすぐ上向きに戻る力が作用し、バッテリ端子１０１と締結した電源端子１２０を上向きに付勢する。これにより、バッテリ端子１０１を介してバッテリポスト１００に斜め上向き方向の力が負荷し、バッテリポストに損傷を発生させる恐れがある。
【０００５】
本発明は前記問題に鑑みてなされたもので、バッテリ端子に対して電源線を作業余長なく接続できるようにしてバッテリポストへの斜め上向き方向の負荷をなくし、バッテリポストの損傷発生を防止することを課題としている。
【課題を解決するための手段】
【０００６】
前記課題を解決するため、本発明は、バッテリ端子に締結する端子を内蔵した雌コネクタに、電源線の端末に接続した雄コネクタを嵌合して前記バッテリ端子と電源線を接続しており、
前記雌コネクタの前後外壁に左右一方側の下部から他方側の上部へ傾斜する第１スライド溝を設け、該第１スライド溝にスライド自在に挿通するピンを突設したスライドレバーを前記雌コネクタの外壁内面に沿って移動自在に取り付ける一方、前記雄コネクタの前後外壁の上部に左右水平方向に延在する第２スライド溝を設け、該第２スライド溝に前記ピンの他端突出部をスライド自在に挿入し、
前記スライドレバーの前記ピンは、前記第１スライド溝の下端且つ前記第２スライド溝の左右方向の一端に挿入される仮嵌合位置で、該スライドレバーは前記雌コネクタから外方へ突出し、該仮嵌合位置で前記雌コネクタの端子をバッテリ端子に上方から下向きに取り付けて締結し、該締結後に前記スライドレバーを押し込んで前記ピンを前記第１、第２スライド溝内を左右他端側の本嵌合位置へ移動させて、前記電源線と接続した前記雄コネクタを上昇させ、該雄コネクタに接続した電源線を余長無しの状態に引き上げる構成としているバッテリへの電源線の接続構造を提供している。
【０００７】
前記雌コネクタに内蔵する前記端子はヒュージブルリンクからなり、該ヒュージブルリンクは上部横向き部の先端側に設けたボルト穴を前記雌コネクタから外部に突出させ、該ボルト穴を前記バッテリ端子に立設したボルトに上方から下降して通してナットで締結するものとし、かつ、該上部横向き部の前記雌コネクタ内部に溶断部を設け、該溶断部の先端を下向きに屈折して縦向き部を設け、該縦向きの部の下端に電気接触部を設け、該電気接触部に前記雄コネクタ内に収容する前記電源線の端末に接続した端子の電気接触部を嵌合する構成としていることが好ましい。
【０００８】
また、前記雌コネクタと雄コネクタとを仮嵌合位置および本嵌合位置で夫々係止する係止手段を、前記雌コネクタと雄コネクタにそれぞれ設けている。  
【０００９】
前記ヒュージブルリンクの縦向き部に設ける電気接触部はタブ状の雄型電気接触部とし、電源線端末に接続する端子は雌型の電気接触部を備えた端子とすることが好ましい。
なお、雌コネクタに収容する端子は、大型のヒューズ端子であるヒュージブルリンクに限定されない。
【発明の効果】
【００１０】
前記のように、本発明では、バッテリ端子のスタッドボルトに上方から下降して組みつけるボルト穴を設けた端子を収容した雌端子と、電源線に接続した雄端子とを仮嵌合位置で組みつけて、電源線と接続した雄コネクタを雌コネクタに対して下方へ突出させておき、この状態で雌コネクタを下方してバッテリ端子と締結した後に、該雌端子に対して雄端子を本嵌合位置に上昇させて電源線を上昇させ、電源線の作業余長が弛まないようにしている。その結果、電源線の作業余長で弛んだ部分によりバッテリ端子と接続する端子が上向きの負荷を受けて、バッテリ端子およびバッテリポストに負荷を加えるのを防止できる。
【図面の簡単な説明】
【００１１】
【図１】本発明の実施形態の構成部品を示す概略正面図である。
【図２】前記構成部品の斜視図である。
【図３】バッテリ端子と接続するヒュージブルリンクおよび電源線端末の端子を示す斜視図である。
【図４】（Ａ）は構成部品の雌コネクタの概略正面図、（Ｂ）は（Ａ）の概略側面図、（Ｃ）は雄コネクタの概略正面図、（Ｄ）は雌雄コネクタの係止手段を示す図面である。
【図５】（Ａ）は構成部品のスライドレバーの斜視図、（Ｂ）は雌雄コネクタとスライドレバーの関係を示す図面である。
【図６】（Ａ）は雌雄コネクタを仮嵌合位置で嵌合してバッテリ端子に上方へセットした状態の正面図、（Ｂ）は前記雌雄コネクタに取り付けたヒュージブルリンクをバッテリ端子に締結した状態の正面図、（Ｃ）は雌コネクタに対して雄コネクタを上昇して本嵌合位置に配置した状態の正面図である。
【図７】従来例の斜視図である。
【図８】従来の問題点を説明するための図面である。
【発明を実施するための形態】
【００１２】
以下、本発明の実施形態を図１乃至図６を参照して説明する。
図１に示すように、自動車に搭載されるバッテリ１の上面にバッテリポルト２が立設され、該バッテリポスト２にバッテリ端子３が外嵌固定される。バッテリ端子３はバッテリポストに外観する円環部３ａの一側に連続する基板３ｂ上にスタッドボルト３ｃを立設している。該バッテリ端子３に大型ヒューズ端子であるヒュージブルリンク５の一端を接続すると共に、該ヒュージブルリンク５の他端を電源線６の端末に接続した端子７と接続している。これにより、自動車内に配線する電源線６をヒュージブルリンク５を介してバッテリ１と接続している。
【００１３】
前記ヒュージブルリンク５は雌コネクタ１０のコネクタハウジング１１内に収容し、前記電源線端末に接続した端子７は雄コネクタ１２のコネクタハウジング１３内に収容している。前記雌雄コネクタ１０、１２はそれぞれ仮嵌合位置と本嵌合位置とで互いに嵌合する仮嵌合手段および本嵌合手段を備えている。仮嵌合手段により仮嵌合位置で嵌合した雌雄コネクタ１０、１２は、雌コネクタ１０にスライド自在に取り付けたスライドレバー１５を押し込み操作して本嵌合位置へと移動させ、該本嵌合位置で本嵌合手段によりヒュージブルリンク５と端子７とを本嵌合して電気接続している。
【００１４】
詳細には、前記雌コネクタ１０のコネクタハウジング１１内に収容するヒュージブルリンク５は図３に示すように、導電性の基板５ａの一端部５ｂにボルト穴５ｃを設け、該ボルト穴５ｃを前記バッテリ端子３のスタッドボルト３ｃに上方から下降して通し、ナット８で締結するようにしている。ヒュージブルリンク５の一端部５ｂを除いた部分の基板５ａはコネクタハウジング１１内に収容しており、該導電性基板５ａの中間部に細幅とした溶断部５ｄを３列設けている。この３つの溶断部５ｄの他端にそれぞれ下向き屈折部５ｅを連続して設け、該下向き屈折部５ｅの下端に雄端子部のタブ５ｆを設けている。これら３列に設けたタブ５ｆをコネクタハウジング１１の下向きに開口した各端子収容室内に配置している。
【００１５】
図４（Ａ）（Ｂ）（Ｄ）に示すように、前記雌コネクタ１０のコネクタハウジング１１は端子収容室を設けた本体１１ａの前後壁の外側にスライドレバー移動用の隙間Ｃをあけて前後外壁１１ｂを設けている。該前後外壁１１ｂに左右一方側の下部から他方側の上部へ傾斜する第１スライド溝２１を設けている。
【００１６】
図５（Ａ）に示すように、スライドレバー１５は前後両側板１５ａ、１５ｂを連結板１５ｃで連結したコ字形状で、前後両側板１５ａ、１５ｂの先端側にそれぞれ上下方向のガイド溝１５ｇ１、１５ｇ２を設けている。該ガイド溝１５ｇ１、１５ｇ２にそれぞれ上下動自在に貫通したピン１８を貫通している。該ピン１８の外側突出部の先端１８ａを前記雌コネクタ１０の第１スライド溝２０に摺動自在に嵌合している。
【００１７】
また、図４（Ｃ）および図５（Ｂ）に示すように、雌コネクタ１０に下方から挿入する前記雄コネクタ１２のコネクタハウジング１３の前後外壁１３ｂの上部に左右水平方向に延在する第２スライド溝２２を設けている。該第２スライド溝２２に前記ピン１８の他端の内側突出部１８ｂをスライド自在に挿入するものとしている。
【００１８】
前記雄コネクタ１２のコネクタハウジング１３内には３本の電源線６の端末に接続した雌端子からなる端子７を各端子収容室内に下方から挿入係止している。これら端子７は雌コネクタ１０のヒュージブルリンク５のタブ５ｆと本嵌合時に嵌合して電気接続するものとしている。
【００１９】
電源線６の長さは、雄コネクタ１２を雌コネクタ１０と仮嵌合した状態で、雌コネクタ１０に取り付けたヒュージブルリンク５のボルト穴５ｃを上方から下降してバッテリ端子３のスタッドボルト３ｃに外嵌できる寸法としている。すなわち、ヒュージブルリンク５をバッテリ端子３に締結固定した位置に対して寸法Ｌ１だけ上方からヒュージブルリンク５を下降するため、前記寸法Ｌ１が作業余長となる。
【００２０】
図４（Ｂ）（Ｄ）に示すように、前記雌コネクタ１０の前後外壁１１ｂの内面に仮嵌合位置で係止する第１係止突起２３Ａを設けると共に、該仮嵌合位置より上部に本嵌合位置で係止する第２係止突起２３ＢＡを設けている。一方、雄コネクタ１２の前後外壁１３ｂに前記第１、第２係止突起２３Ａ、２３Ｂと係止する係止突起２４を設けている。
【００２１】
前記雄コネクタ１２を雌コネクタ１０に下方から挿入して第１係止突起２３Ａと係止突起２４とを係止させた位置が仮嵌合位置Ｐ１（図６（Ａ）に示す）である。該仮嵌合位置Ｐ１では、スライドレバー１５は図２に示す最も外方に飛び出した位置にあり、ピン１８は第１スライド溝２１の図中右端の最下端に位置し、雄コネクタ１２は雌コネクタ１０に対して最下端位置で嵌合される。
【００２２】
前記スライドレバー１５を図２および図４（Ａ）（Ｃ）中で左側に押し込んでスライドさせ、ピン１８を第１スライド溝２１内を図中左側に向かって上昇してスライドさせる。該スライドレバー１５の操作で、雄コネクタ１２の第２スライド溝２２中を移動するピン１８の他端によりに雄コネクタ１２を上昇させる。ピン１８が第１、第２スライド溝２１、２２の左端で停止する位置で雄コネクタ１２は上限まで引き上げられ、かつ、前記第２係止突起２３Ｂに係止突起２４が係止する本嵌合位置Ｐ２（図６（Ｃ）に示す）に位置するようにしている。
【００２３】
つぎに、前記雌雄コネクタ１０、１２を用いてバッテリ１と電源線６を接続する手順を図６を参照して説明する。
バッテリ１の上面に立設されているバッテリポスト２にバッテリ端子３が外嵌固定されている。
【００２４】
前記バッテリ端子３と雌コネクタ１０のヒュージブルリンク５とを締結固定する前に、雌コネクタ１０に電源線６の端子７を挿入係止した雄コネクタ１２を下方から挿入し、図６（Ａ）に示す仮嵌合位置Ｐ１で仮係止する。この仮係止位置Ｐ１では、前記のように、第１係止突起２３Ａと係止突起２４とを仮係止して保持している。該仮嵌合位置Ｐ１ではスライドレバー１５が外方に最も飛び出した位置にあり、ピン１８は第１スライド溝２１の最下端に位置し、雄コネクタ１２は雌コネクタ１０に対して最下端位置で嵌合される。
【００２５】
前記のように、雌コネクタ１０の下部に電源線６と接続した雄コネクタ１２を仮嵌合位置Ｐ１に保持した状態で、雌コネクタ１０をバッテリ１の上方へ位置させる。この状態で、雌コネクタ１０の下部に仮嵌合した雄コネクタ１２も上昇し、雄コネクタ１２に接続した電源線６は真っすぐに伸びている。
【００２６】
ついで、雌コネクタ１０から突出したヒュージブルリンク５のボルト穴５ｃをバッテリ端子３のスタッドボルト３ｃに上方から下降させて通す。ついで、ナット８をスタッドボルト３ｃに締結してヒュージブルリンク５をバッテリ端子３と電気接続する。
この状態で、ヒュージブルリンク５を収容した雌コネクタ１０が下降するため、下部に仮嵌合した雄コネクタ１２も下降し、図６（Ｂ）に示すように、電源線６に設けている作業余長６ａが撓んだ状態となる。
【００２７】
その後、雌雄コネクタ１０、１２との仮嵌合位置Ｐ１で外方へ突出しているスライドレバー１５を雌雄コネクタ１０、１２の嵌合側へ作業員が押し込んでいく。該スライドレバー１５の押し込み操作で、前記のように、ピン１８は第１スライド溝２１内を図中左側に向かって上昇すると共に、雄コネクタ１２の第２スライド溝２２中を図２、図４中左側へ移動して、雄コネクタ１２を上昇させる。ピン１８が第１、第２スライド溝２１、２２の左端で停止する位置で雄コネクタ１２は上限まで引き上げられ、かつ、第２係止突起２３Ｂと係止突起２４とが係止する本嵌合位置Ｐ２になる。
【００２８】
前記のように、スライドレバー１５のスライド作動で、バッテリ端子３と接続したヒュージブルリンク５を収容している雌コネクタ１０を定位置に保持しながら、電源線６に接続した雄コネクタ１２が仮嵌合位置Ｐ１から本嵌合位置Ｐ２へと上昇する。この雄コネクタ１２の上昇で、接続している電源線６を上向きに引っ張り、弛んでいた作業余長を真っすぐに引っ張り、図６（Ｃ）に示すように作業余長が無い状態とする。よって、作業余長により弛んでいた電源線６が元の直線に戻ろうとする反力がバッテリ端子３を介してバッテリポスト２へ負荷されるのを防止でき、バッテリポスト２に損傷が発生するのを確実に防止できる。
【００２９】
本発明は前記実施形態に限定されず、雌コネクタに収容して、バッテリ端子と接続する端子はヒュージブルリンクに限定されず、９０度屈曲させたバスバーからなり、一端にボルト穴を設けていると共に他端にタブを設けた形状でもよい。
【符号の説明】
【００３０】
１  バッテリ
２  バッテリポスト
３  バッテリ端子
３ｃ  スタッドボルト
５  ヒュージブルリンク
５ｃ  ボルト穴
５ｄ  溶断部
６  電源線
７  端子
１０  雌コネクタ
１１  コネクタハウジング
１１ｂ  前後外壁
１２  雄コネクタ
１３  コネクタハウジング
１５  スライドレバー
１８  ピン
２１  第１スライド溝
２２  第２スライド溝
【図１】
0006032184.tif 000002
【図２】
0006032184.tif 000003
【図３】
0006032184.tif 000004
【図４】
0006032184.tif 000005
【図５】
0006032184.tif 000006
【図６】
0006032184.tif 000007
【図７】
0006032184.tif 000008
【図８】
0006032184.tif 000009